(57)【要約】      （修正有）【課題】装飾性に優れ、高い訴求効果を有するライターを提供する。【解決手段】ライター１０は、全体金属製の薄型直方体形状に形成されたオイルライターであって、本体ケース部２０と、本体ケース部２０に収容されるライター本体部２１と、本体ケース部２０にヒンジ部２２を介して回動可能に接続され、本体ケース部２０を閉止しうる蓋ケース部２３と、ライター本体部２１に設けられた軸部２４を介して回動可能に接続され、蓋ケース部２３内に設けられた係合部との間で蓋ケース部２３を支持しうるカム２５とにより構成されている。また、通気孔部１１ａを有し、芯部の側方を所定間隔をおいて被覆する風防１２を備えたライター１０において、通気孔部１１ａは文字形状に形成されている。【選択図】図１
0003202870.tif 000002
【実用新案登録請求の範囲】
【請求項１】
通気孔部を有し、芯部の側方を所定間隔をおいて被覆する風防を備えたライターにおいて、前記通気孔部は文字形状に形成されていることを特徴とするライター。
【請求項２】
前記ライターはオイルライターであって全体薄型直方体形状に形成されると共に前記風防はライターの両側面部に沿って設けられた一対の板状側面被覆部及び、前記一対の板状側面被覆部の間に連設された板状厚さ方向被覆部からなり、前記通気孔部は前記板状側面被覆部に設けられていることを特徴とする請求項１記載のライター。
【請求項３】
前記通気孔部は、厚さ方向に沿って文字形状に貫通して形成された穴部により形成されていることを特徴とする請求項１記載のライター。
【請求項４】
前記通気孔部には、貫通しない部位が形成されていることを特徴とする請求項３記載のライター。
【請求項５】
前記文字はアルファベットであることを特徴とする請求項１記載のライター。
【請求項６】
前記一対の板状側面被覆部には、夫々、異なった文字により形成された通気孔部が設けられていることを特徴とする請求項２記載のライター。
【考案の詳細な説明】
【技術分野】
【０００１】
本考案は、ライターに係り、特に風防に特徴を有するライターに関するものである。
【背景技術】
【０００２】
従来技術に関して、オイルライターを例に説明する。一般に、オイルライターは、燃料としてオイルを用いるライターであって、毛細管現象によって芯（ウィック）へと上がって来た液体のオイルが芯の先端部で揮発し、気体となったオイルに着火するものである。
適切な揮発機構を持つオイルライターは、揮発機構内で気化した燃料を適度に含む空気が渦になってとどまるため、強風のなかでも高い着火性を持つという特徴がある。このような高い着火性は、芯を覆い、周囲からの風を防ぐための風防と呼ばれるパーツによって担保されている。
一般に、ライターの風防には通気口が設けられており、前記単に芯を覆うだけではなく、通気口から適度に空気中の酸素を取り入れることができるので、燃焼効率を高めることができる。
【０００３】
風防として、例えば特許文献１には、金属製の風防の前壁部側に、内部側への打ち出しによるスリット状の通気口を上下方向に１つ以上形成したライター用の風防が開示されている。
しかしながら、特許文献１に代表される従来の風防にあっては、通気口がスリットや丸穴等の単純な形状により構成されており、デザイン面での工夫はされていなかった。
特許文献１の他にも、本件実用新案登録出願人はこのような観点から先行技術調査を行ったが、前記不具合を解消するような技術は発見できなかった。
【特許文献１】実開平７−２２２５６号公報
【考案の開示】
【考案が解決しようとする課題】
【０００４】
本考案は、以上のような従来からの不具合を解消するためのものであって、その課題は、装飾性に優れ、高い訴求効果を有するライターを提供することを課題とする。
【課題を解決するための手段】
【０００５】
前記課題を解決するために、請求項１に記載の考案にあっては、通気孔部を有し、芯部の側方を所定間隔をおいて被覆する風防を備えたライターにおいて、前記通気孔部は文字形状に形成されていることを特徴とする。
【０００６】
従って、前記風防は文字形状に形成された通気孔部を有する。
【０００７】
請求項２に記載の考案にあっては、前記ライターはオイルライターであって全体薄型直方体形状に形成されると共に前記風防はライターの両側面部に沿って設けられた一対の板状側面被覆部及び、前記一対の板状側面被覆部の間に連設された板状厚さ方向被覆部からなり、前記通気孔部は前記板状側面被覆部に設けられていることを特徴とする。
【０００８】
従って、前記風防の前記板状側面被覆部に文字形状に形成された通気孔部が形成される。
【０００９】
請求項３に記載の考案にあっては、前記通気孔部は、厚さ方向に沿って文字形状に貫通して形成された穴部により形成されていることを特徴とする。
【００１０】
請求項４に記載の考案にあっては、前記通気孔部には、貫通しない部位が形成されていることを特徴とする。
【００１１】
従って、前記通気孔部は、貫通して形成された前記穴部と、貫通しない前記部位とにより構成される。
【００１２】
請求項５に記載の考案にあっては、前記文字はアルファベットであることを特徴とする。
【００１３】
従って、前記通気孔部はアルファベットの形状に形成される。
【００１４】
請求項６に記載の考案にあっては、前記一対の板状側面被覆部には、夫々、異なった文字により形成された通気孔部が設けられていることを特徴とする。
【００１５】
従って、前記風防の前記一対の板状側面被覆部には、夫々、異なった文字形状に形成された通気孔部が形成される。
【考案の効果】
【００１６】
請求項１〜６に記載のライターにあっては、前記風防は文字形状に形成された通気孔部を有するので、例えば、ライターの商品名、特徴等の文字を前記通気孔部によって前記風防に表示することができる。
その結果、前記通気孔部は、空気中の酸素を取り入れる効果を奏すると共に、装飾部としての訴求効果を得ることができ、ライターの外観品質を向上させることができる。
【００１７】
特に、請求項２に記載のライターにあっては、前記風防の前記板状側面被覆部に文字形状に形成された通気孔部が形成されるので、全体薄型直方体形状に形成された前記ライターの両側面部に沿って、例えば、ライターの商品名、特徴等の文字を前記通気孔部によって前記風防に表示することができる。
【００１８】
また、特に、請求項４に記載のライターにあっては、前記通気孔部には、貫通しない部位が形成されているので、前記風防に形成された通気孔部の強度と耐久性とを確保することができ、前記ライターを長期に亘って使用することができる。
【００１９】
また、請求項５に記載のライターにあっては、前記通気孔部はアルファベットの形状に形成されるので、装飾性に優れ、高い訴求効果を有するライターを提供することができる。
【００２０】
また、請求項６に記載のライターにあっては、前記風防の前記一対の板状側面被覆部には、夫々、異なった文字形状に形成された通気孔部が形成されるので、例えば、ライターの商品名、特徴等を表す２種類の文字を、前記ライターの両側面部に沿って、夫々、前記風防に表示することができる。
【図面の簡単な説明】
【００２１】
【図１】図１は、本考案に係るライターの一実施の形態を示す正面側斜視図である。
【図２】図２は、本考案に係るライターの一実施の形態を示す背面側斜視図である。
【考案を実施するための最良の形態】
【００２２】
以下、添付図面に示す実施の形態に基づき、本考案を詳細に説明する。
図１及び図２に示すように、本考案の一実施の形態に係るライター１０は、全体金属製の薄型直方体形状に形成されたオイルライターであって、本体ケース部２０と、本体ケース部２０に収容されるライター本体部２１と、本体ケース部２０にヒンジ部２２を介して回動可能に接続され、本体ケース部２０を閉止しうる蓋ケース部２３と、ライター本体部２１に設けられた軸部２４を介して回動可能に接続され、蓋ケース部２３内に設けられた係合部（図示せず）との間で蓋ケース部２３を支持しうるカム２５とにより構成されている。
また、図１及び図２に示すように、本実施の形態に係るライター本体部２１は、文字形状に形成された通気孔部１１ａ、１１ｂを有し、芯部（図示せず）の側方を所定間隔をおいて被覆する金属製の風防１２と、芯部（図示せず）に隣接して設けられたフリント（発火石）２６と、風防１２に連設された軸部２７を中心に回転可能に設けられ、フリント２６との間で摩擦により火花を発生させるフリントホイール２８とを備えている。
【００２３】
図１及び図２に示すように、本実施の形態に係る風防１２は、平面略Ｕ字状に形成され、ライター１０の両側面部１３、１３に沿って設けられた一対の板状側面被覆部１４ａ、１４ｂ、及び、一対の板状側面被覆部１４ａ、１４ｂの間に連設された板状厚さ方向被覆部（図示せず）からなり、通気孔部１１ａ、１１ｂは、夫々、板状側面被覆部１４ａ、１４ｂに設けられている。
【００２４】
図１及び図２に示すように、本実施の形態に係る一対の板状側面被覆部１４ａ、１４ｂには、夫々、アルファベットのＧとアルファベットのＴとからなる異なった文字状に形成された通気孔部１１ａ、１１ｂが設けられている。
【００２５】
図１及び図２に示すように、本実施の形態に係る通気孔部１１ａ、１１ｂは、厚さ方向に沿って貫通して形成された穴部１６、１６・・・により形成されている。また、図１及び図２に示すように、本実施の形態に係る通気孔部１１ａ、１１ｂには、貫通しない部位１７、１７・・・が形成されている。
【００２６】
以下、本実施の形態に係るライター１０の作用について説明する。
図１及び図２に示すように、本実施の形態に係るライター１０にあっては、風防１２は文字形状に形成された通気孔部１１ａ、１１ｂを有するので、ライターの商品名の一部であるアルファベットのＧ及びＴを通気孔部１１ａ、１１ｂによって風防１２に表示することができる。
その結果、通気孔部１１ａ、１１ｂは、空気中の酸素を取り入れる効果を奏すると共に、装飾部としての高い訴求効果を得ることができ、ライターの外観品質を向上させることができる。
【００２７】
特に、本実施の形態に係るライター１０にあっては、風防１２の板状側面被覆部１４ａ、１４ｂにアルファベットのＧ及びＴの形状に形成された通気孔部１１ａ、１１ｂが形成されるので、全体薄型直方体形状に形成されたライター１０の両側面部１３、１３に沿って、ライターの商品名の一部であるアルファベットのＧ及びＴを通気孔部１１ａ、１１ｂによって風防１２に表示することができる。
【００２８】
また、特に、本実施の形態に係るライター１０にあっては、通気孔部１１ａ、１１ｂには、貫通しない部位１７、１７・・・が形成されているので、風防１２に形成された通気孔部１１ａ、１１ｂの強度と耐久性とを確保することができ、ライター１０を長期に亘って使用することができる。
【００２９】
本実施の形態に係る一対の板状側面被覆部１４ａ、１４ｂには、夫々、アルファベットのＧとアルファベットのＴとからなる異なった文字により形成された通気孔部１１ａ、１１ｂが設けられている場合を例に説明したが、前記構成に限定されず、各種アルファベットやその他の文字等により構成してもよく、また、一対の板状側面被覆部に、夫々、同じ文字により形成された通気孔部が設けられていてもよい。
【産業上の利用可能性】
【００３０】
本考案は、ライターに広く適用可能であり、産業上利用可能性を有している。
【符号の説明】
【００３１】
１０：ライター
１１ａ、１１ｂ：通気孔部
１２：風防
１３：ライターの両側面部
１４ａ、１４ｂ：板状側面被覆部
１６：穴部
１７：貫通しない部位
２０：本体ケース部
２１：ライター本体部
２２：ヒンジ部
２３：蓋ケース部
２４：軸部
２５：カム
２６：フリント（発火石）
２７：フリントホイール
２８：軸部
【図１】
0003202870.tif 000003
【図２】
0003202870.tif 000004